(57)【特許請求の範囲】
【請求項１】
下記の工程：
（１）脳血管アミロイドアンギオパチーの罹患を疑われる被験者由来の生体試料と、可溶型アミロイドβ前駆体タンパク質βを認識する抗体又はアミロイドβ前駆体タンパク質７７０特異的抗体とを接触させる工程；及び
（２）工程（１）で形成された複合体中の可溶型アミロイドβ前駆体タンパク質７７０βを検出する工程、ここで可溶型アミロイドβ前駆体タンパク質７７０βレベルが基準値と比較して高い場合に、被験者は脳血管アミロイドアンギオパチーに罹患しているか又は脳血管アミロイドアンギオパチーを発症する蓋然性が高い；
を含む、血管内皮細胞由来の可溶型アミロイドβ前駆体タンパク質７７０βの検出方法。
【請求項２】
工程（１）において、可溶型アミロイドβ前駆体タンパク質βを認識する抗体又はアミロイドβ前駆体タンパク質７７０特異的抗体のいずれか一方を使用し、
工程（２）が、
（２ａ）工程（１）で形成された複合体中の可溶型アミロイドβ前駆体タンパク質７７０βと、工程（１）で使用しなかった他方の可溶型アミロイドβ前駆体タンパク質βを認識する抗体又はアミロイドβ前駆体タンパク質７７０特異的抗体とを接触させる工程；及び
（２ｂ）工程（２ａ）で形成された複合体を検出する工程、ここで検出された可溶型アミロイドβ前駆体タンパク質７７０βレベルが基準値と比較して高い場合に、被験者が脳血管アミロイドアンギオパチーに罹患しているか又は脳血管アミロイドアンギオパチーを発症する蓋然性が高い；
である、請求項１に記載の検出方法。
【請求項３】
生体試料が血液、血漿又は血清である請求項１又は２に記載の方法。
【請求項４】
生体試料が脳脊髄液である請求項１又は２に記載の方法。
【請求項５】
生体試料が血管内皮細胞の培養上清である請求項１又は２に記載の方法。
【請求項６】
工程（１）、（２）に加えて、下記の工程：
（３）前記生体試料と、可溶型アミロイドβ前駆体タンパク質βを認識する抗体又は可溶型アミロイドβ前駆体タンパク質６９５β特異的抗体とを接触させる工程；及び
（４）工程（３）で形成された複合体中の可溶型アミロイドβ前駆体タンパク質６９５βを検出する工程；
を含み、可溶型アミロイドβ前駆体タンパク質６９５βの検出も含めた、請求項１から５のいずれか１項に記載の方法。
【請求項７】
工程（３）において、可溶型アミロイドβ前駆体タンパク質βを認識する抗体又はアミロイドβ前駆体タンパク質６９５特異的抗体のいずれか一方を使用し、
工程（４）が、
（４ａ）工程（３）で形成された複合体中の可溶型アミロイドβ前駆体タンパク質６９５βと、工程（３）で使用しなかった他方の可溶型アミロイドβ前駆体タンパク質βを認識する抗体又は可溶型アミロイドβ前駆体タンパク質６９５β特異的抗体とを接触させる工程；及び
（４ｂ）工程（４ａ）で形成された複合体を検出する工程；
である、請求項６に記載の検出方法。
【請求項８】
工程（１）における生体試料が血液、血漿、血清、血管内皮細胞の培養上清又は脳脊髄液であり、工程（３）における生体試料が脳脊髄液である請求項６又は７に記載の方法。
【請求項９】
アミロイドβ前駆体タンパク質７７０特異的抗体がＯＸ２ドメインを認識する抗体である請求項１から８のいずれか１項に記載の方法。
【請求項１０】
可溶型アミロイドβ前駆体タンパク質βを認識する抗体及び／又はアミロイドβ前駆体タンパク質７７０特異的抗体を有効成分とする、脳血管アミロイドアンギオパチーの診断薬。
【請求項１１】
可溶型アミロイドβ前駆体タンパク質βを認識する抗体及びアミロイドβ前駆体タンパク質７７０特異的抗体を含む、脳血管アミロイドアンギオパチーの診断用キット。
【請求項１２】
可溶型アミロイドβ前駆体タンパク質６９５β特異的抗体を更に含む、請求項１１の診断用キット。
【発明の詳細な説明】
【技術分野】
【０００１】
本発明は、可溶型アミロイドβ前駆体タンパク質７７０βの検出方法に関する。より具体的には、アミロイドβペプチドの蓄積を伴う疾患が疑われる被験者由来の生体試料中のアミロイドβ前駆体タンパク質７７０β切断産物の検出方法、並びに該方法において用いられる、アミロイドβペプチドの蓄積を伴う疾患の診断薬及び診断用キットに関する。
【背景技術】
【０００２】
老人性認知症は、先進国における近年の急速な高齢化社会の到来とともに、医学的、社会的に重大な問題となっており、アルツハイマー病（以下、「ＡＤ」と省略する場合がある）を始めとした認知症への対策、特に早期診断法の確立が急務となっている。ＡＤは、病理学上、アミロイドβペプチド（以下、「Ａβ」と省略する場合がある）の凝集物を主構成とした脳実質における老人斑、脳血管内でのＡβ蓄積によって現れる血管アミロイド、脳における神経原線維変化の細胞内蓄積等が確認される疾患である（非特許文献１及び２）。Ａβは、βセクレターゼ（ＢＡＣＥ１）（非特許文献３〜６）及びγセクレターゼ（非特許文献７）の逐次的な酵素反応により、アミロイドβ前駆体タンパク質（以下、「ＡＰＰ」と省略する場合がある）から産生される。ほとんどの早発型家族性ＡＤ患者がＡβの産生機序又は凝集に影響する遺伝子変異を有すること、及びＡβ凝集に付随する神経突起がしばしば損傷を受けていること（非特許文献２）から、脳内におけるＡβ凝集及び蓄積の過程は、ＡＤ発症と強く関連していると考えられる。【０００３】
ＡＰＰは、受容体様の機能を有することが示唆されており、様々な細胞外マトリクスタンパク質（例えばヘパリン及びコラーゲン（非特許文献８及び９）など）に結合するものの、ＡＰＰの生物学的機能の解明は依然として重要な科学的課題となっている（非特許文献１０）。哺乳動物においては２種類のＡＰＰパラログが知られており、ＡＰＰ−ｌｉｋｅ  ｐｒｏｔｅｉｎｓ  １及び２（それぞれＡＰＬＰ１及びＡＰＬＰ２）と命名されている。興味深いことに、これら３つのＡＰＰファミリーメンバー（すなわちＡＰＰ、ＡＰＬＰ１及びＡＰＬＰ２）の全てを欠く三重ノックアウトマウスは生後まもなく死亡し（非特許文献１１）、このことはＡＰＰファミリータンパク質の重複した機能を示唆している。さらに、ＡＰＰには、３種類の選択的スプライシングによるアイソフォーム、ＡＰＰ６９５、ＡＰＰ７５１及びＡＰＰ７７０が存在する（非特許文献１２及び１３）。ＡＰＰ６９５と比較して、ＡＰＰ７５１はＫｕｎｉｔｚ型プロテアーゼインヒビター（ＫＰＩ）領域をさらに含み、ＡＰＰ７７０はＫＰＩ領域に加えてＯＸ２領域を含む。ＡＰＰ６９５がニューロンにおいて最も多量に発現するのに対し、ＡＰＰ７５１及びＡＰＰ７７０はより普遍的な発現パターンを示す（非特許文献１４）。ＫＰＩ領域を含む分泌型ＡＰＰ（プロテアーゼネキシン２としても知られる）は、特定のセリンプロテアーゼ（特に一部の血栓形成促進酵素（非特許文献１５））を阻害する可能性がある。一方ＯＸ２領域の機能に関しては、入手可能な情報は非常に限られている。【０００４】
従来、ＡＤと相関を示すマーカーは多数報告されているが、その多くは病理変化との関係が不明であり、診断的価値は必ずしも確立されていない。病理変化と直接関連するマーカーとしては、脳脊髄液中の４２アミノ酸からなるＡβの一種(Ａβ１−４２)の減少、及び（リン酸化）タウ蛋白質の上昇などが挙げられる。しかし、Ａβはアルツハイマー病症状が重篤化した後に初めてその値が変動することが知られており、早期の診断マーカーとしては使用できない。一方、リン酸化タウをバイオマーカーとした場合でも、リン酸化タウが上昇している時期には神経細胞死が既に進行しており、この時期に治療を開始しても完全な神経機能の回復は望めない。また、これらのマーカーは主に脳脊髄液（腰椎穿刺液）で測定することから、その試料採取には特殊な手技が必要であり、患者への負担も大きくマス・スクリーニングの方法とはなり得ない。【０００５】
ＡＤの症状は、脳実質及び脳内血管壁におけるＡβの蓄積と密接に関連していることが報告されており（非特許文献１６〜１８）、特に脳血管系におけるＡβの蓄積は、脳血管アミロイドアンギオパチー（以下、「ＣＡＡ」と省略する場合がある）の病因にも考えられている。ＣＡＡはＡＤ患者の８０％を超えて認められており、ＡＤでない老人の１０〜４０％に見られる（非特許文献１９）。例えば、電子顕微鏡によるアルツハイマー病患者の病理切片の詳細な解析によると、Ａβの凝集物であるアミロイド線維等が脳内毛細血管の随所に見出され、脳血管内のＡβ凝集及び蓄積がＡＤと強く関わることが示されている（非特許文献２０）。また、ＣＡＡは脳血管性痴呆障害、脳卒中や脳内出血の原因ともなり得ることが知られている。さらに、Ａβに対するワクチンを用いたＡＤ治療においては、ＣＡＡが副作用の原因として影響を与える可能性も示されているため（非特許文献２１、２２）、脳血管内におけるＡβ蓄積の状態を示すＣＡＡの診断の必要性が広く指摘されている。最近、血管内のＡβ除去における脳血管平滑筋細胞の重要な役割が脚光を浴びた（非特許文献２３）ものの、血管内皮細胞のＡＰＰの詳細な解析については前例がなく、蓄積する血管性Ａβがどこで産生されるかについては未解明のままであった。
【先行技術文献】
【非特許文献】
【０００６】
【非特許文献１】Physiol Rev 2001 81(2):741-766.
【非特許文献２】Cell 2005 120(4):545-555.
【非特許文献３】Nature 1999 402(6761):533-537.
【非特許文献４】Science 1999 286(5440):735-741.
【非特許文献５】Nature 1999 402(6761):537-540.
【非特許文献６】Nature 1999 398(6727):513-517.
【非特許文献７】Nature 1999 398(6727):518-522.
【非特許文献８】J Biol Chem 1996 271(3):1613-1620.
【非特許文献９】J Neurosci 1992 12(11):4143-4150.
【非特許文献１０】Embo J 2005 24(23):3996-4006.
【非特許文献１１】Embo J 2004 23(20):4106-4115.
【非特許文献１２】Nature 1988 331(6156):525-527.
【非特許文献１３】Nature 1988 331(6156):528-530.
【非特許文献１４】Proc Natl Acad Sci U S A 1993 90(20):9513-9517.
【非特許文献１５】Proc Natl Acad Sci U S A 2005 102(50):18135-18140.
【非特許文献１６】Ann Neurol 1991 30(5):637-649.
【非特許文献１７】Science 1990 248(4959):1120-1122.
【非特許文献１８】Nat Genet 2006 38(1):24-26.
【非特許文献１９】Stroke 2004 35(11 Suppl 1):2616-2619.
【非特許文献２０】Ann N Y Acad Sci. 1997 Sep 26;826:25-34.
【非特許文献２１】J. Neurosci. 2005 25, 6213-6220
【非特許文献２２】J. Neurosci. 2005 25, 629-636
【非特許文献２３】Nat Cell Biol 2009 11(2):143-153.
【発明の概要】
【発明が解決しようとする課題】
【０００７】
アルツハイマー病と相関を示すマーカーの探索や早期診断方法の開発は、従来、Ａβが神経細胞において産生されることに基づいて進められてきた。しかしながら、実用化に至る程の有望な成果はこれまでにほとんど得られていなかった。【０００８】
本発明では、アルツハイマー病などのアミロイドβペプチドの蓄積を伴う疾患を早期に診断することを可能とする、バイオマーカーの検出方法を提供することを目的とした。
【課題を解決するための手段】
【０００９】
本発明は、上記課題に鑑み、脳血管アミロイドアンギオパチー等の病因であり、アルツハイマー病の症状とも相関する脳血管内でのＡβの蓄積に着目した。本発明者らは、神経細胞由来のＡＰＰと血管内皮細胞由来のＡＰＰとを区別できれば、神経細胞でのＡβ産生と血管内皮細胞でのＡβ産生を判別することが可能であると考え、鋭意検討の上、解析を行った。その結果、従来Ａβ産生の観点からは着目されていなかった血管内皮細胞において、ＡＰＰのユニークなスプライシングバリアントであるＡＰＰ７７０が特異的に検出できること、並びに血管内皮細胞のＡＰＰ７７０からアミロイドβ４０及び４２が産生されることを世界に先駆けて発見し、ＡＰＰ７７０の切断産物が脳血管内でのアミロイド蓄積の指標となることを見出した。【００１０】
すなわち本発明では、ＡＰＰ７７０の切断産物を特異的に検出することにより、脳血管内でのＡβ蓄積が病因となる脳血管アミロイドアンギオパチー等、若しくは脳血管内でのＡβ蓄積が相関するアルツハイマー病といった、Ａβ蓄積を伴う疾患の発症の診断、または発症危険性の予測が可能となる。Ａβ、並びにＡβ産生後のＡＰＰのＣ末端側断片はＡＰＰの各スプライシングバリアントで共通であるので、ＡＰＰ７７０のＢＡＣＥ１切断産物のＮ末端側断片である可溶型ＡＰＰ７７０β（ｓＡＰＰ７７０β）が、脳血管アミロイドアンギオパチー及びアルツハイマー病といったＡβ蓄積を伴う疾患のバイオマーカーとなることを見出し、本発明を完成させるに至った。【００１１】
より詳しくは、本発明は以下を提供するものである。
［１］下記の工程：
（１）被験者由来の生体試料と、可溶型アミロイドβ前駆体タンパク質βを認識する抗体又はアミロイドβ前駆体タンパク質７７０特異的抗体とを接触させる工程；及び
（２）工程（１）で形成された複合体中の可溶型アミロイドβ前駆体タンパク質７７０βを検出する工程；
を含む、血管内皮細胞由来の可溶型アミロイドβ前駆体タンパク質７７０βの検出方法。
［２］工程（１）において、可溶型アミロイドβ前駆体タンパク質βを認識する抗体又はアミロイドβ前駆体タンパク質７７０特異的抗体のいずれか一方を使用し、
工程（２）が、
（２ａ）工程（１）で形成された複合体中の可溶型アミロイドβ前駆体タンパク質７７０βと、工程（１）で使用しなかった他方の可溶型アミロイドβ前駆体タンパク質βを認識する抗体又はアミロイドβ前駆体タンパク質７７０特異的抗体とを接触させる工程；及び
（２ｂ）工程（２ａ）で形成された複合体を検出する工程；
である、［１］に記載の検出方法。
［３］生体試料が血液、血漿又は血清である［１］又は［２］に記載の方法。
［４］生体試料が脳脊髄液である［１］又は［２］に記載の方法。
［５］生体試料が血管内皮細胞の培養上清である［１］又は［２］に記載の方法。
［６］  工程（１）、（２）に加えて、下記の工程：
（３）アミロイドβペプチドの蓄積を伴う疾患が疑われる被験者由来の生体試料と、可溶型アミロイドβ前駆体タンパク質βを認識する抗体又は可溶型アミロイドβ前駆体タンパク質６９５β特異的抗体とを接触させる工程；及び
（４）工程（３）で形成された複合体中の可溶型アミロイドβ前駆体タンパク質６９５βを検出する工程；
を含み、可溶型アミロイドβ前駆体タンパク質６９５βの検出も含めた、［１］から［５］のいずれか１つに記載の方法。
［７］工程（３）において、可溶型アミロイドβ前駆体タンパク質βを認識する抗体又はアミロイドβ前駆体タンパク質６９５特異的抗体のいずれか一方を使用し、
工程（４）が、
（４ａ）工程（３）で形成された複合体中の可溶型アミロイドβ前駆体タンパク質６９５βと、工程（３）で使用しなかった他方の可溶型アミロイドβ前駆体タンパク質βを認識する抗体又は可溶型アミロイドβ前駆体タンパク質６９５β特異的抗体とを接触させる工程；及び
（４ｂ）工程（４ａ）で形成された複合体を検出する工程；
である、［６］に記載の検出方法。
［８］  工程（１）における生体試料が血液、血漿、血清、血管内皮細胞の培養上清又は脳脊髄液であり、工程（３）における生体試料が脳脊髄液である［６］又は［７］に記載の方法。
［９］  アミロイドβ前駆体タンパク質７７０特異的抗体がＯＸ２ドメインを認識する抗体である［１］から［８］のいずれか１つに記載の方法。
［１０］被験者がアミロイドβペプチドの蓄積を伴う疾患の罹患を疑われる、［１］から［９］のいずれか１つに記載の方法。
［１１］疾患が脳血管アミロイドアンギオパチー、脳血管性痴呆症、脳梗塞、アルツハイマー病の少なくともいずれか一つである［１０］に記載の方法。
［１２］被験者が脳血管アミロイドアンギオパチー、脳血管性痴呆症、脳梗塞の少なくともいずれか一つと、アルツハイマー病の併発を疑われる［１］から［９］のいずれか１つに記載の方法。
［１３］可溶型アミロイドβ前駆体タンパク質βを認識する抗体及び／又はアミロイドβ前駆体タンパク質７７０特異的抗体を有効成分とする、アミロイドβペプチドの蓄積を伴う疾患の診断薬。
［１４］可溶型アミロイドβ前駆体タンパク質βを認識する抗体及びアミロイドβ前駆体タンパク質７７０特異的抗体を含む、アミロイドβペプチドの蓄積を伴う疾患の診断用キット。
［１５］可溶型アミロイドβ前駆体タンパク質６９５β特異的抗体を更に含む、［１４］の診断用キット。
［１６］疾患が脳血管アミロイドアンギオパチー、脳血管性痴呆症、脳梗塞、アルツハイマー病の少なくともいずれか一つを対象とする［１３］に記載の診断薬又は［１４］若しくは［１５］に記載のキット。
［１７］疾患が、脳血管アミロイドアンギオパチー、脳血管性痴呆症、脳梗塞の少なくともいずれか一つと、アルツハイマー病の併発を対象とする［１６］に記載の診断薬又はキット。
［１８］下記の工程：
（１）被験者より採取された生体試料と、可溶型アミロイドβ前駆体タンパク質βを認識する抗体又はアミロイドβ前駆体タンパク質７７０特異的抗体とを接触させる工程；及び
（２）工程（１）で形成された複合体中の可溶型アミロイドβ前駆体タンパク質７７０βを検出する工程；
を含む、血管内皮細胞由来の可溶型アミロイドβ前駆体タンパク質７７０βを検出してアミロイドβペプチドの蓄積を伴う疾患に罹患している可能性を判定する方法。
［１９］工程（１）において、可溶型アミロイドβ前駆体タンパク質βを認識する抗体又はアミロイドβ前駆体タンパク質７７０特異的抗体のいずれか一方を使用し、
工程（２）が、
（２ａ）工程（１）で形成された複合体中の可溶型アミロイドβ前駆体タンパク質７７０βと、工程（１）で使用しなかった他方の可溶型アミロイドβ前駆体タンパク質βを認識する抗体又はアミロイドβ前駆体タンパク質７７０特異的抗体とを接触させる工程；及び
（２ｂ）工程（２ａ）で形成された複合体を検出する工程；
である、［１８］に記載の検出方法。
［２０］生体試料が血液、血漿又は血清である［１８］又は［１９］に記載の方法。
［２１］生体試料が脳脊髄液である［１８］又は［１９］に記載の方法。
［２２］生体試料が血管内皮細胞の培養上清である［１８］又は［１９］に記載の方法。
［２３］工程（１）、（２）に加えて、下記の工程：
（３）被験者より採取された生体試料と、可溶型アミロイドβ前駆体タンパク質βを認識する抗体又は可溶型アミロイドβ前駆体タンパク質６９５β特異的抗体とを接触させる工程；及び
（４）工程（３）で形成された複合体中の可溶型アミロイドβ前駆体タンパク質６９５βを検出する工程；
を含み、可溶型アミロイドβ前駆体タンパク質６９５βの検出も含めた、［１８］から［２２］のいずれか１項に記載の方法。
［２４］工程（３）において、可溶型アミロイドβ前駆体タンパク質βを認識する抗体又はアミロイドβ前駆体タンパク質６９５特異的抗体のいずれか一方を使用し、
工程（４）が、
（４ａ）工程（３）で形成された複合体中の可溶型アミロイドβ前駆体タンパク質６９５βと、工程（３）で使用しなかった他方の可溶型アミロイドβ前駆体タンパク質βを認識する抗体又は可溶型アミロイドβ前駆体タンパク質６９５β特異的抗体とを接触させる工程；及び
（４ｂ）工程（４ａ）で形成された複合体を検出する工程；
である、［２３］に記載の検出方法。
［２５］工程（１）における生体試料が血液、血漿血清、血管内皮細胞の培養上清又は脳脊髄液であり、工程（３）における生体試料が脳脊髄液である［２３］又は［２４］に記載の方法。
［２６］アミロイドβ前駆体タンパク質７７０特異的抗体がＯＸ２ドメインを認識する抗体である［１８］から［２５］のいずれか１項に記載の方法。
［２７］アミロイドβペプチドの蓄積を伴う疾患が脳血管アミロイドアンギオパチー、脳血管性痴呆症、脳梗塞、アルツハイマー病の少なくとも何れか一つである［１８］から［２６］のいずれか１項に記載の方法。
［２８］可溶型アミロイドβ前駆体タンパク質７７０βの検出から脳血管アミロイドアンギオパチー、脳血管性痴呆症、脳梗塞の少なくともいずれか一つの疾患の罹患の可能性を判定する［１８］から［２６］のいずれか１つに記載の方法。
［２９］下記の工程：
（１’）アミロイドβペプチドの蓄積を伴う疾患が疑われる被験者由来の生体試料と、アミロイドβ前駆体タンパク質７７０特異的抗体又は可溶型アミロイドβ前駆体タンパク質βを認識する抗体を接触させる工程；及び
（２’）工程（１’）で形成された複合体中の可溶型アミロイドβ前駆体タンパク質７７０を検出する（好ましくは定量的に検出する）工程
を含む、血管内皮細胞由来の可溶型アミロイドβ前駆体タンパク質７７０βの検出方法。
【発明の効果】
【００１２】
本発明の検出方法は、アミロイドβペプチドの蓄積を伴う疾患のバイオマーカーとして、血管内皮細胞で産生されるｓＡＰＰ７７０βを測定対象とするため、血液、血清、血漿又は脳脊髄液を始めとした種々の体液を用いて簡便に感度よく検出することができる。また、神経細胞でのＡβ産生と血管内皮細胞でのＡβ産生を判別することを可能にしたことにより、脳血管内でのＡβ蓄積が病因となる脳血管アミロイドアンギオパチー等の疾患と、脳実質部分でのＡβ蓄積が病因となるアルツハイマー病について、それぞれを個別の疾患対象として診断できるし、或いは併発を疑って両方の疾患を診断することもできる。また、ｓＡＰＰ７７０βは、アミロイドβペプチド産生の為の律速反応であるＢＡＣＥ１の切断によって産生されるので、ｓＡＰＰ７７０β量はアミロイドβペプチドの産生量を反映していると考えられる。すなわち、本発明の検出方法により得られた結果を利用して、被験者が当該疾患に罹患しているか否か、当該疾患を発症する蓋然性が高いか否かを、発症前又は発症初期といった早期段階でも判定することが可能となる。血液、血清又は血漿を使用する場合には、脳脊髄液に比べ、さらに患者の負担を軽減することができる。
本発明の診断用キット及び診断薬は、上記の本発明の検出方法に適しており、アミロイドβペプチドの蓄積を伴う疾患の、効率的な診断を可能にする。
【図面の簡単な説明】
【００１３】
【図１】血管内皮細胞におけるＡＰＰの解析を示す図である。図１Ａ：３種類のＡＰＰスプライスバリアント、ＡＰＰ６９５、ＡＰＰ７５１及びＡＰＰ７７０の模式図。一連の抗ＡＰＰ抗体、並びにＡＰＰ転写産物の分析に用いたプライマーＡ、Ｂ、Ｃ及びＤの認識部位を示す。図１Ｂ：抗ＡＰＰ  Ｃ１５、抗ＫＰＩ、抗ＯＸ２、抗ＰＥＣＡＭ及び抗ＧＡＰＤＨ抗体を用いた、ヒト脳血管内皮細胞（ＢＭＥＣ）、マウス初代ニューロン及びヒト臍帯血由来血管内皮細胞（ＨＵＶＥＣ）の細胞ライセート（２０μｇのタンパク質）におけるＡＰＰのウェスタンブロット解析。図１Ｃ：ＢＭＥＣ、ニューロン、ＨＵＶＥＣ及びマウス肝臓類洞内皮細胞（ＬＳＥＣ）における各ＡＰＰ転写産物の検出。全ＲＮＡを各細胞から抽出し、逆転写し、次いでＰＣＲ解析に供し、増幅産物を検出した。ＡＰＰ６９５、ＡＰＰ７５１及びＡＰＰ７７０が組み込まれたプラスミドをスタンダードとして使用した。
【図２】内皮ＡＰＰの一連のレクチン沈殿物を示す図である。ＢＭＥＣのライセート（１００μｇ）を、ＳＳＡ−、ＭＡＡ−、Ｅ４−ＰＨＡ−、ＣｏｎＡ−、ＲＣＡ１２０−又はＪａｃａｌｉｎ−アガロースと４℃にて１６時間インキュベートした。レクチンで沈殿させた試料を洗浄し、抗ＡＰＰ  Ｃ１５抗体を用いて、ウェスタンブロットにより分析した。
【図３】ＣＯＳ細胞において発現させたＡＰＰ６９５、ＡＰＰ７５１及びＡＰＰ７７０の分析を示す図である。ヒトＡＰＰ６９５、ＡＰＰ７５１及びＡＰＰ７７０を、ＣＯＳ細胞において個別に過剰発現させた。得られた細胞ライセート（１μｇ）を、ＢＭＥＣのライセート（５μｇ）及びニューロンのライセート（１０μｇ）と共に、抗ＡＰＰ  Ｃ１５抗体を用いて、ウェスタンブロットにより分析した。
【図４】脳内皮ＡＰＰのグリコシダーゼ消化を示す図である。図４Ａ：高分子量型及び低分子量型のＡＰＰ７７０（それぞれＡＰＰ−Ｈ及びＡＰＰ−Ｌ）が、Ｎ結合型糖鎖を有することを示す。図４Ｂ：ＡＰＰ−Ｈが、シアル酸化されたコア１型Ｏ結合型糖鎖を有することを示す。図４Ｃ：本試験において使用したＡＰＰ７７０変異体の模式図。図４Ｄ：ＣＯＳ細胞において発現させた野生型ＡＰＰ７７０及びその変異体の、ＳＤＳ−ＰＡＧＥにおける移動度の変化を示す。黒色及び灰色矢頭は、それぞれＡＰＰ−Ｈ及びＡＰＰ−Ｌを示す。
【図５】ＢＭＥＣから分泌されるｓＡＰＰの解析を示す図である。図５Ａ：ＢＭＥＣ及びマウス初代ニューロンの細胞ライセート（Ｃ、６μｇ）及び培地（Ｍ）からヘパリン−アガロースを用いてプルダウンしたインタクトなＡＰＰ及び可溶性分泌型ｓＡＰＰを、抗ＡＰＰ  ２２Ｃ１１抗体を用いて、ウェスタンブロットによりそれぞれ分析した。図５Ｂ：ＢＭＥＣからヘパリン−アガロースを用いてプルダウンしたｓＡＰＰを、ＰＮＧａｓｅ、シアリダーゼ及びＯ−グリコシダーゼの存在下又は非存在下でインキュベートし、次いで抗ＡＰＰ  ２２Ｃ１１抗体を用いてウエスタンブロットにより分析した。図５Ｃ：ＢＭＥＣの細胞表面ビオチン化の後、ビオチン化細胞表面タンパク質を、ストレプトアビジン−セファロースを用いて沈殿させ、次いで抗ＡＰＰ  Ｃ１５抗体を用いてウェスタンブロットにより分析した。図５Ｄ：ＢＭＥＣを、ベンジルＧａｌＮＡｃの存在下又は非存在下で培養し、次いで細胞ライセート（Ｃ）及び培地（Ｍ）中のインタクトなＡＰＰ及びｓＡＰＰを、それぞれ抗ＡＰＰ  Ｃ１５抗体及び抗ＡＰＰ  ２２Ｃ１１抗体を用いてウェスタンブロットにより分析した。
【図６】ＡＰＰ７７０のヒト脳血管における発現、α及びβ部位における切断、及びＣＳＦへの分泌を示す図である。図６Ａ：ＢＭＥＣから分泌されるｓＡＰＰ７７０を、抗ＡＰＰ  ２２Ｃ１１、抗ＯＸ２、抗ｓＡＰＰα及び抗ｓＡＰＰβ抗体を用いてウェスタンブロットにより分析した。図６Ｂ：Ｏｐｔｉ−ＭＥＭで培養したＢＭＥＣからの培地を、Ａβ４０及びＡβ４２レベルについて分析した（ｎ＝３）（上パネル）。ＢＭＥＣ及びニューロンから分泌されたＡβ４２／Ａβ４０の割合を、平均値±ＳＥＭとして示す（ｎ＝４）（下パネル）。図６Ｃ：パラフィンに包埋したヒト脳切片を、ヘマトキシリン−エオシン染色（上パネルａ）及び抗ＯＸ２抗体を用いた免疫染色（下パネルｂ）により分析した。ａにおける灰色及び黒色矢頭は、それぞれ内皮細胞及び平滑筋細胞の核を示す。ｂにおける矢印は、ＯＸ２免疫反応性の内皮を示す。スケールバー：２０μｍ。図６Ｄ：ヒトＣＳＦ試料（各０．５ｍｌ）中のｓＡＰＰをヘパリン−アガロース（３０μｌ）を用いてプルダウンし、次いで抗ＡＰＰ  ２２Ｃ１１、抗ＯＸ２及び抗ｓＡＰＰβ抗体を用いてウェスタンブロットにより分析した。灰色及び黒色矢頭は、それぞれｓＡＰＰ７７０β以外のｓＡＰＰβ及びｓＡＰＰ７７０βを示す。
【発明を実施するための形態】
【００１４】
定義
本発明において、アミロイドβ前駆体タンパク質（ＡＰＰ）とは、βセクレターゼ（ＢＡＣＥ１）により切断され、アミロイドβペプチド（本明細書中、Ａβペプチド、又は単にＡβとも言う）を産生する分子を意味する。ＡＰＰとしては、検出する対象に応じて、対象と同じ種由来のＡＰＰを用いることが望ましい。一例として、ヒトＡＰＰには３種類のスプライシングバリアント、ＡＰＰ６９５、ＡＰＰ７５１及びＡＰＰ７７０が知られている。
【００１５】
ＡＰＰのアミノ酸配列及びこれをコードする塩基配列は、数種の動物において公表されている。ヒトにおいては、ＡＰＰの３種類のスプライシングバリアント、ＡＰＰ６９５、ＡＰＰ７５１及びＡＰＰ７７０について、アミノ酸配列（それぞれ、ＧｅｎＢａｎｋ  Ａｃｃｅｓｓｉｏｎ  Ｎｏ．ＮＰ＿９５８８１７、ＮＰ＿９５８８１６及びＮＰ＿０００４７５）及び塩基配列（それぞれ、ＧｅｎＢａｎｋ  Ａｃｃｅｓｓｉｏｎ  Ｎｏ．ＮＭ_２０１４１４．１、ＮＭ_２０１４１３．１及びＮＭ＿０００４８４．２）が公表されており、自体公知の方法により単離することができる。ヒト以外の動物由来のＡＰＰのアミノ酸配列及び塩基配列も、各種動物のゲノムデータベースを検索することにより、容易に配列情報を入手することが可能であり、当該情報に基づいて自体公知の方法により単離することができる。以下、ヒトＡＰＰを例にして説明する。
【００１６】
図１Ａに、ＡＰＰのスプライシングバリアントの構造を示す。ＡＰＰ６９５と比較して、ＡＰＰ７５１はＫｕｎｉｔｚ型プロテアーゼインヒビター（ＫＰＩ）領域をさらに含み、ＡＰＰ７７０はＫＰＩ領域に加えてＯＸ２領域を含む。これら３つのスプライシングバリアントは、ＫＰＩ領域及びＯＸ２領域以外の領域（Ａβ領域及び膜貫通領域を含むＣ末端側部分を含む）においては同一のアミノ酸配列を有する。したがってＯＸ２領域は、ＡＰＰ７７０を他の２つのバリアントと区別するために利用可能な、特徴的な配列である。
【００１７】
ヒトＡＰＰ７７０のアミノ酸配列及びそれをコードするヌクレオチドの塩基配列をそれぞれ、配列番号２及び１に示す。配列番号２の配列中、ＫＰＩ領域は２８８〜３４４番目のアミノ酸配列に、ＯＸ２領域は３４５〜３６４番目のアミノ酸配列に、Ａβ４０（４２）領域は６７２〜７１１（７１３）番目のアミノ酸配列に相当する。
【００１８】
本発明において、可溶型アミロイドβ前駆体タンパク質β（ｓＡＰＰβ）とは、βセクレターゼによる切断（β切断と呼ばれる）で産生されたＡＰＰのＮ末端側の断片を意味し、ここにはＣ末端側の断片は含まれない。ＡＰＰのスプライシングバリアントであるＡＰＰ６９５、ＡＰＰ７５１及びＡＰＰ７７０から産生されるβ切断産物は、それぞれｓＡＰＰ６９５β、ｓＡＰＰ７５１β及びｓＡＰＰ７７０βと呼ぶ。ヒトｓＡＰＰ７７０βのアミノ酸配列は、配列番号２の配列中、１８〜６７１番目のアミノ酸配列に相当する。
また、可溶型アミロイドβ前駆体タンパク質α（ｓＡＰＰα）とは、Ａβ非産生経路として知られるαセクレターゼによるＡＰＰの切断（α切断と呼ばれる）で産生されたＡＰＰのＮ末端側の断片を意味し、α部位はその切断部位を意味する。
【００１９】
本発明において内皮細胞とは、生体内に存在するあらゆる血管内皮細胞をいい、特に心臓から毛細血管までのすべての循環器系に存在する血管内皮細胞を意味する。内皮細胞は、具体的には、血管の内壁を覆う一層の扁平な細胞であり、好ましくは、脳血管内皮細胞、臍帯静脈血管内皮細胞、及び類洞内皮細胞などの血管内皮細胞などが挙げられる。
【００２０】
本発明において抗体とは、免疫グロブリンのすべてのクラスおよびサブクラス、抗体の機能的断片の形態も含む意であり、当該抗体には、天然型抗体の他に、遺伝子組換技術を用いて製造され得る抗体、抗体断片、及びこれらの結合性断片も含まれるが、これらに限定されない。また、ポリクローナル抗体、モノクローナル抗体が含まれるが、ポリクローナル抗体とは異なるエピトープに対する異なる抗体を含む抗体調製物であり、モノクローナル抗体とは実質的に均一な抗体の集団から得られる抗体（抗体断片を含む）を意味する。また結合性断片とは、前述の抗体の一部分の領域を意味し、具体的には例えばＦ（ａｂ’）２、Ｆａｂ’、Ｆａｂ、Ｆｖ(variable fragment of antibody)、ｓＦｖ、ｄｓＦｖ(disulphide stabilised Fv)、ｄＡｂ(single domain antibody)等が挙げられる(Exp. Opin. Ther. Patents, Vol.6, No.5, p.441-456, 1996)。
【００２１】
本発明において、アミロイドβペプチドの蓄積を伴う疾患とは、生体内におけるＡβレベルと疾患との因果関係が示唆される疾患又は状態を指す。
生体内におけるＡβレベルが高い対象においては、典型的には、Ａβの脳実質部分への蓄積（老人斑と呼ばれる）や脳血管内への蓄積（脳血管アミロイドアンギオパチー（ＣＡＡ）と呼ばれる）がみられる。さらに神経細胞の破壊、脳血管障害などが起こり、これらが進行した状態においては認知症として症状が顕在化する。加齢が進むに従って生体内のＡβレベルは上昇すると考えられることから、生体内におけるＡβレベルが高い状態は、正常な老化現象によっても起こり得るが、アルツハイマー病においてはより急速な上昇がみられる。したがって、アミロイドβペプチドの蓄積を伴う疾患には、典型的には、症状が顕在化しているかいないかに関わらず、アルツハイマー病、脳血管アミロイドアンギオパチー、脳血管性痴呆症、その他の認知症、脳梗塞等が含まれる。脳血管内のＡβ蓄積は、アルツハイマー病の初期段階に見出される、との報告もあることから、可溶型アミロイドβ前駆体タンパク質７７０βの増加は、毒性の高いＡβオリゴマーの増加に先立って起きる可能性がある。
【００２２】
１．可溶型アミロイドβ前駆体タンパク質７７０βの検出方法
本発明の内皮細胞由来の可溶型アミロイドβ前駆体タンパク質７７０βの検出方法は、下記の工程：
（１）アミロイドβペプチドの蓄積を伴う疾患が疑われる被験者由来の生体試料と、可溶型アミロイドβ前駆体タンパク質βを認識する抗体又はアミロイドβ前駆体タンパク質７７０特異的抗体とを接触させる工程；及び
（２）工程（１）で形成された複合体中の可溶型アミロイドβ前駆体タンパク質７７０βを検出する（好ましくは定量的に検出する）工程；
を含むことを特徴とする（以下、検出方法Ｉとも言う）。
【００２３】
工程（１）は、アミロイドβペプチドの蓄積を伴う疾患が疑われる被験者由来の生体試料と、アミロイドβ前駆体タンパク質７７０特異的抗体又は可溶型アミロイドβ前駆体タンパク質βを認識する抗体とを接触させる工程である。
【００２４】
工程（１）における被験者は、アミロイドβペプチドの蓄積を伴う疾患に罹患しているか否かを判別しようとする対象であり、該疾患に罹患していることが疑われる哺乳動物を意味する。哺乳動物としては、例えば、マウス、ラット、ハムスター、モルモットなどのげっ歯類及びウサギなどの実験動物、イヌ及びネコなどのペット、ウシ、ブタ、ヤギ、ウマ及びヒツジなどの家畜、サル、オランウータン及びチンパンジーなどの霊長類並びにヒトなどが挙げられ、特にヒトが好ましい。ラットやマウスを用いる場合は、例えば慢性脳虚血モデルなどの疾患モデルを作成し、可溶型アミロイドβ前駆体タンパク質７７０βの変動を見ることが出来る。このような被験者は、認知障害を示していても示していなくてもよく、またアミロイドβペプチドの蓄積を伴う疾患、例えばアルツハイマー病の治療を受けていてもよい。
【００２５】
生体試料は、上記被験者から既知の方法を用いて採取することができる。生体試料としては、例えば血液、血漿、血清、リンパ液及び脳脊髄液などの種々の体液を用いることができる。
【００２６】
一実施形態において、本発明の生体試料は、血液、血漿又は血清である。これらの試料を用いることは、その採取に特殊な技術が不要であること、被験者への負担も小さいことから、本発明の方法をマス・スクリーニングにおいて適用する上で好ましい。
【００２７】
一実施態様において、本発明の生体試料には脳脊髄液も含まれる。脳脊髄液は、脳組織を満たし、循環しており、脳の状態を反映していると考えられる。従来知られている脳の状態についてのバイオマーカーの測定においても使用されており、本発明においても生体試料として好適に用いられる。
【００２８】
別の実施態様においては、本発明の生体試料は、血管内皮細胞の培養上清である。血管内皮細胞を培養し増殖させることで、本発明の検出方法における感度を増強し得る。血管内皮細胞としては、脳血管内皮細胞、臍帯血由来血管内皮細胞、肝臓類洞内皮細胞などが挙げられる。また、これらの細胞は、胚性幹細胞、組織幹細胞、遺伝子操作等により分化多能性が付与された細胞（例えば、ｉＰＳ細胞）などの幹細胞より誘導されたものであってもよい。血管内皮細胞は、生体内から外科的に摘出した血管、ＥＳ細胞や骨髄細胞から作製した移植用の血管などから採取することができる。あるいは血液（末梢血、臍帯血など）や脂肪中に存在する血管内皮前駆細胞を分化・増殖させて用いることもできる（例えば国際公開公報ＷＯ２００６／０９０８８２、特許第４２１７２６２号などを参照）。血管内皮細胞の培養は、公知の方法・試薬を用いて行なうことができる。
【００２９】
被験者由来の生体試料は、アミロイドβ前駆体タンパク質７７０（ＡＰＰ７７０）特異的抗体又は可溶型アミロイドβ前駆体タンパク質β（ｓＡＰＰβ）を認識する抗体と接触させ、可溶型アミロイドβ前駆体タンパク質７７０βと抗体との複合体を形成させる。
【００３０】
本発明における「アミロイドβ前駆体タンパク質７７０（ＡＰＰ７７０）特異的抗体」とは、ＡＰＰ７７０に結合する能力があり、且つアミロイドβ前駆体タンパク質（ＡＰＰ）のＡＰＰ７７０以外のスプライシングバリアント（ＡＰＰ６９５、ＡＰＰ７５１が知られている）に結合しない抗体である。ＡＰＰ７７０特異的抗体は、可溶型アミロイドβ前駆体タンパク質７７０βにも結合する能力を持つ。また、任意の哺乳動物由来のＡＰＰ７７０に特異的であり得るが、好ましくは被験者と同じ種由来のＡＰＰ７７０に特異的である。
【００３１】
このような抗体は、ＡＰＰ７７０と他のスプライシングバリアントとのアミノ酸配列上、又は糖鎖付加状態等の違いに基づき、自体公知の方法により調製することができる。具体的には例えば、ＡＰＰ７７０のアミノ酸配列上には存在するがＡＰＰ６９５及びＡＰＰ７５１のアミノ酸配列上には存在しないＯＸ２領域において抗原ペプチド配列を設計し、このペプチドを用いて抗体を作製することで、ＡＰＰ７７０特異的抗体を得ることができる。またこのような抗体は、商業的に入手可能である（例えば抗ＯＸ２抗体（Chemicon）など）。
【００３２】
「可溶型アミロイドβ前駆体タンパク質β（ｓＡＰＰβ）を認識する抗体」とは、上記ｓＡＰＰ６９５β、ｓＡＰＰ７５１β及びｓＡＰＰ７７０βを含むｓＡＰＰβの全て又は少なくともｓＡＰＰ７７０βと結合する能力がある抗体を意味する。このような抗体は、ｓＡＰＰβに共通するアミノ酸配列、又は糖鎖付加状態等の情報に基づき、自体公知の方法により調製することができる。具体的には例えば、全てのＡＰＰバリアントに共通であるβセクレターゼによる切断部位（β部位）周辺において抗原ペプチド配列を設計し、このペプチドを用いて抗体を作製することで、ｓＡＰＰαは認識せずにｓＡＰＰβを特異的に認識する抗体を得ることができる。あるいは、ＫＰＩ領域において抗原ペプチドを設計することによっても、ｓＡＰＰ６９５βは認識しないがｓＡＰＰ７５１β及びｓＡＰＰ７７０βを認識可能な抗体を得ることができる。またこのような抗体は、商業的にも入手可能である（例えばマウスモノクローナル抗−ＡＰＰ  ２２Ｃ１１抗体（Chemicon）、抗ヒトｓＡＰＰβ抗体（IBL Co.）及び抗ＫＰＩ抗体（Chemicon）など）。このように、本発明においては、「可溶型アミロイドβ前駆体タンパク質βを認識する抗体」として、β切断されていないＡＰＰをも認識する抗体（例えば抗−ＡＰＰ  ２２Ｃ１１抗体（Chemicon））も使用され得るが、特異性の観点から、好ましくは可溶型アミロイドβ前駆体タンパク質βのβ部位を認識する抗体（例えば抗ヒトｓＡＰＰβ抗体（IBL Co.））が使用される。
【００３３】
さらには、本発明によれば神経細胞でのＡβ産生と対比して血管内皮細胞でのＡβ産生につき判別することを目的に、ｓＡＰＰ６９５βを特異的に認識する抗体を用いることができ、工程（１）、（２）に加えて、下記の工程：
（３）アミロイドβペプチドの蓄積を伴う疾患が疑われる被験者由来の生体試料と、可溶型アミロイドβ前駆体タンパク質βを認識する抗体又は可溶型アミロイドβ前駆体タンパク質６９５β特異的抗体とを接触させる工程；及び
（４）工程（３）で形成された複合体中の可溶型アミロイドβ前駆体タンパク質６９５βを検出する工程；
を含み、可溶型アミロイドβ前駆体タンパク質６９５βも検出することができる。
「ｓＡＰＰ６９５β特異的抗体」とは、上記ｓＡＰＰ６９５βと結合する能力があり、且つｓＡＰＰ７７０β及びｓＡＰＰ７５１βに結合しない抗体を意味する。このような抗体は、ｓＡＰＰ６９５βのアミノ酸配列、又は糖鎖付加状態等の情報に基づき、自体公知の方法により調製することができる。具体的には例えば、ｓＡＰＰ６９５βを特異的に認識する抗体は、配列番号２の配列中、ＫＰＩ領域とＯＸ２領域が存在する２８８〜３６４番目のアミノ酸配列が除かれて２８７番目と３６５番目が連結した部分を含む４０アミノ酸の配列、好ましくは３０アミノ酸の配列、より好ましくは１０から２０アミノ酸の配列を認識する抗体であれば良い。これらの配列の抗原ペプチドを設計して当該ペプチドを用いて抗体を作製することで、ｓＡＰＰ７７０β及びｓＡＰＰ７５１βは認識せずにｓＡＰＰ６９５βを特異的に認識する抗体を得ることができる。このような抗体は、ＡＰＰ６９５を特異的に結合し、ＡＰＰ７７０及びＡＰＰ７５１には結合しない能力も併せ持つ。
【００３４】
また、工程（３）においては、適宜ｓＡＰＰ７５１βを特異的に認識する抗体を用いることができる。「ｓＡＰＰ７５１β特異的抗体」とは、上記ｓＡＰＰ７５１βと結合する能力があり、且つｓＡＰＰ７７０β及びｓＡＰＰ６９５βに結合しない抗体を意味する。このような抗体は、ｓＡＰＰ７５１βのアミノ酸配列、又は糖鎖付加状態等の情報に基づき、自体公知の方法により調製することができる。具体的には例えば、ｓＡＰＰ７５１βを特異的に認識する抗体は、配列番号２の配列中、ＯＸ２領域の３４５〜３６４番目のアミノ酸配列が除かれて且つＫＰＩ領域が存在する部分、すなわち３４４番目と３６５番目のアミノ酸が連結された部分を含む４０アミノ酸の配列、好ましくは３０アミノ酸の配列、より好ましくは１０から２０アミノ酸の配列を認識する抗体であれば良い。これらの配列の抗原ペプチドを設計して当該ペプチドを用いて抗体を作製することで、ｓＡＰＰ７７０β及びｓＡＰＰ６９５βは認識せずにｓＡＰＰ７５１βを特異的に認識する抗体を得ることができる。このような抗体は、ＡＰＰ７５１を特異的に結合し、ＡＰＰ７７０及びＡＰＰ６９５には結合しない能力も併せ持つ。
【００３５】
ＡＰＰ７７０特異的抗体、ｓＡＰＰ６９５β特異的抗体、ｓＡＰＰ７５１β特異的抗体及びｓＡＰＰβを認識する抗体は、ポリクローナル抗体、モノクローナル抗体のいずれでもよい。また当該抗体には、天然型抗体の他に、遺伝子組換技術を用いて製造され得る抗体、抗体断片、及びこれらの結合性断片も含まれるが、これらに限定されない。結合性断片とは、前述の抗体の一部分の領域を意味し、具体的には例えばＦ（ａｂ’）２、Ｆａｂ’、Ｆａｂ、Ｆｖ(variable fragment of antibody)、ｓＦｖ、ｄｓＦｖ(disulphide stabilised Fv)、ｄＡｂ(single domain antibody)等が挙げられる(Exp. Opin. Ther. Patents, Vol.6, No.5, p.441-456, 1996)。
【００３６】
前記抗体は、直接的又は間接的に標識物質により標識されていてもよい。標識物質としては、蛍光物質（例、ＦＩＴＣ、ローダミン）、放射性物質（例、３２Ｐ、３５Ｓ、１４Ｃ、３Ｈ）、酵素（例、アルカリホスファターゼ、ペルオキシダーゼ）、着色粒子（例、金属コロイド粒子、着色ラテックス）、ビオチンなどが挙げられる。
【００３７】
また、前記抗体は、他に何も結合していない可溶性の状態で用いることも可能であるが、固相に結合していてもよい。「固相」としては、プレート（例、マイクロウェルプレート）、チューブ、ビーズ（例、プラスチックビーズ、磁気ビーズ）、クロマトグラフィー用担体（例、ニトロセルロースメンブレンなどの吸水性基材、Ｓｅｐｈａｒｏｓｅ）、メンブレン（例、ニトロセルロースメンブレン、ＰＶＤＦ膜）、ゲル（例、ポリアクリルアミドゲル）、金属膜（例、金膜）などが挙げられる。なかでも、プレート、ビーズ、クロマトグラフィー用担体及びメンブレンが好ましく用いられ、取り扱いの簡便性からプレートが最も好ましく用いられる。上記結合としては、共有結合、イオン結合、物理的吸着などが挙げられ、特に限定されないが、共有結合及び／又は物理的吸着が十分な結合強度を得られるため好ましい。また固相への結合は、固相に直接結合してもよいし、自体公知の物質を利用して間接的に固相に結合していてもよい。
【００３８】
また、非特異的吸着や非特異的反応を抑制するために牛血清アルブミン（ＢＳＡ）や牛ミルク蛋白などのリン酸緩衝溶液を固相と接触させ、抗体によってコートされなかった固相表面部分を前記ＢＳＡや牛ミルク蛋白等などでブロッキングすることが一般に行われる。
【００３９】
ＡＰＰ７７０特異的抗体、ｓＡＰＰ６９５β特異的抗体、ｓＡＰＰ７５１β特異的抗体又はｓＡＰＰβを認識する抗体と、Ａβの蓄積を伴う疾患が疑われる被験者由来の生体試料との接触は、これらの抗体と生体試料中のｓＡＰＰ７７０β等が相互作用できる方法であれば、態様、順序、具体的方法などは特に限定されない。接触は、例えばＡＰＰ７７０特異的抗体又はｓＡＰＰβを認識する抗体が固相化されたプレートに生体試料を添加することでなされ得る。また例えば、生体試料をＳＤＳ−ＰＡＧＥなどの手段によって分離し、メンブレンに移して固定した後、抗体と接触させることによってもなされ得る。
【００４０】
なお、かかる接触を保つ時間は、前記抗体と、Ａβの蓄積を伴う疾患が疑われる被験者由来の生体試料中に含まれるｓＡＰＰ７７０β等とが結合して複合体を形成するのに十分な時間であれば特に限定されないが、通常、数秒〜十数時間である。また、接触を行なう温度条件としては、通常４℃〜５０℃であり、４℃〜３７℃が好ましく、１５℃〜３０℃程度の室温が最も好ましい。さらに、反応を行なうｐＨ条件は、５．０〜９．０が好ましく、特に６．０〜８．０の中性域が好ましい。
【００４１】
工程（２）は、上記工程（１）で形成された複合体中の可溶型アミロイドβ前駆体タンパク質７７０βを検出する工程である。
【００４２】
上記検出には、可溶型アミロイドβ前駆体タンパク質７７０βを検出可能な任意の方法を用いることができ、例えばｓＡＰＰ７７０βをその分子量に基づき検出する方法や、抗体を利用して検出する方法を用いる。
【００４３】
さらには、本発明によれば神経細胞でのＡβ産生と対比して血管内皮細胞でのＡβ産生につき判別することを目的に、ｓＡＰＰ６９５βを検出する工程も含めることができる。この場合、ｓＡＰＰ７７０βの検出は血管内皮細胞でのＡβ産生の指標とし、ｓＡＰＰ６９５βの検出は神経細胞でのＡβ産生の指標として扱うことができる。当該検出には、ｓＡＰＰ６９５βを検出可能な任意の方法を用いることができ、例えばｓＡＰＰ６９５βをその分子量に基づき検出する方法や、抗体を利用して検出する方法を用いる。
【００４４】
また、工程（４）においては、更なる対照として適宜ｓＡＰＰ７５１βを検出する工程も含めることができる。当該検出には、ｓＡＰＰ７５１βを検出可能な任意の方法を用いることができ、例えばｓＡＰＰ７５１βをその分子量に基づき検出する方法や、抗体を利用して検出する方法を用いる。
【００４５】
ｓＡＰＰ７７０β、ｓＡＰＰ６９５β又はｓＡＰＰ７５１βをその分子量に基づき検出する方法としては、ゲル電気泳動（例、ＳＤＳ−ＰＡＧＥなど）、各種の分離精製法（例、サイズ排除クロマトグラフィー、イオン交換クロマトグラフィー、疎水性クロマトグラフィー、アフィニティークロマトグラフィー、逆相クロマトグラフィーなど）、及び質量分析計（例、二重収束質量分析計、四重極型分析計、飛行時間型質量分析計（ＴＯＦ  ＭＳ）、フーリエ変換質量分析計、イオンサイクロトロン質量分析計など）による測定、並びにそれらを組み合わせる方法などに供し、所定のマーカーペプチドの分子量と比較し、目的とする分子量のバンド、スポット、又はピークを検出することにより行うことができるが、これらに限定されない。
【００４６】
ｓＡＰＰ７７０β（又はｓＡＰＰ６９５β若しくはｓＡＰＰ７５１β）の検出の前に、工程（１）（又は（３））の反応液から上記複合体を単離してもよい。このような単離は、例えばヘパリンとの親和性を利用した単離法、または免疫沈降法などにより行なうことができ、工程（１）（又は（３））で用いる抗体に付加した適当な標識（例えばビオチンなど）を利用してもよい。
【００４７】
上記検出は、複合体が形成された状態で行なってもよい。あるいは、形成された複合体を試料から単離し、該複合体を解離させることによりｓＡＰＰ７７０β、ｓＡＰＰ６９５β又はｓＡＰＰ７５１βを遊離させた状態で行なってもよい。
【００４８】
質量分析計を用いる測定は、例えば次のように行なう。まず、工程（１）又は（３）で形成された複合体を、工程（１）又は（３）で用いた抗体に付した標識を利用する方法（例えば免疫沈降法など）により単離する。単離した複合体は、トリプシンなどのプロテアーゼで消化することにより断片化してもよい。配列特異性の高いプロテアーゼで消化することで、生ずるペプチドのパターンに基づきタンパク質の同定を行なうことが可能となる。次いで試料をイオン化及び質量分析に供する。イオン化には、適切なイオン化法（例、電子衝撃イオン化法、フィールドディソープション法、二次イオン化法、高速原子衝突法、マトリックス支援レーザー脱離イオン化（ＭＡＬＤＩ）法、エレクトロスプレーイオン化（ＥＳＩ）法など）を採用することができるが、高分子化合物のイオン化に優れた特性を示すことからＭＡＬＤＩ法及びＥＳＩ法が好ましい。イオン化法と質量分析法の組み合わせとしては、例えばＭＡＬＤＩ−ＴＯＦ  ＭＳ、ＥＳＩ−ＭＳなどが挙げられる。また、タンデム質量分析（ＭＳ／ＭＳ）を組み合わせてもよい。得られた質量スペクトルを、ｓＡＰＰ７７０β、ｓＡＰＰ６９５β又はｓＡＰＰ７５１βの質量スペクトルと比較することにより、ｓＡＰＰ７７０β、ｓＡＰＰ６９５β又はｓＡＰＰ７５１βを検出する。
【００４９】
工程（２）でｓＡＰＰ７７０βが検出された場合、被験者はＡβの蓄積を伴う疾患に罹患しているか又は該疾患を発症する蓋然性が高いと判定することができる。ｓＡＰＰ７７０βが検出されないか検出限界以下の場合、被験者はＡβの蓄積を伴う疾患に罹患していないか又は該疾患を発症する蓋然性が低いと判定することができる。該疾患は好適には脳血管アミロイドアンギオパチー、脳血管性痴呆症、又は脳梗塞であるが、アルツハイマー病でも良く、これら疾患に限定されるものでもない。
また、神経細胞でのＡβ産生と対比することを目的としてｓＡＰＰ６９５β、更にはｓＡＰＰ７５１βを検出した場合には、神経細胞でのＡβの蓄積を伴う疾患、好適にはアルツハイマー病に罹患しているか又は該疾患を発症する蓋然性が高いと判定することができる。ｓＡＰＰ７７０βの検出での対象疾患がアルツハイマー病であった場合、前記判定はアルツハイマー病の発症状態をより詳細に判定することができる。
【００５０】
ｓＡＰＰ７７０βを抗体を利用して検出する方法を採用する場合、本発明の工程（２）は、好ましくは、
（２ａ）工程（１）で形成された複合体中の可溶型アミロイドβ前駆体タンパク質７７０βと、工程（１）で使用しなかった他方の可溶型アミロイドβ前駆体タンパク質βを認識する抗体又はアミロイドβ前駆体タンパク質７７０特異的抗体とを接触する工程；及び
（２ｂ）工程（２ａ）で形成された複合体を検出する工程；
である。
また、ｓＡＰＰ６９５βを抗体を利用して検出する方法を採用する場合、前記工程（４）は、好ましくは、
（４ａ）工程（３）で形成された複合体中の可溶型アミロイドβ前駆体タンパク質６９５βと、工程（３）で使用しなかった他方の可溶型アミロイドβ前駆体タンパク質βを認識する抗体又は可溶型アミロイドβ前駆体タンパク質６９５β特異的抗体とを接触させる工程；及び
（４ｂ）工程（４ａ）で形成された複合体を検出する工程；
である。
【００５１】
工程（１）で形成された複合体は、複合体のまま、又は複合体を解離させｓＡＰＰ７７０βが遊離した状態で、抗体と接触させることができる。
抗体の標識、ｓＡＰＰ７７０βとの接触方法及び接触条件についての説明は、上記工程（１）における抗体の標識、生体試料との接触方法及び接触条件ついての対応する記載を適用することができる。
【００５２】
工程（２ｂ）は、工程（１）で形成された複合体と工程（２ａ）で使用した抗体とからなる複合体、又はｓＡＰＰ７７０βと工程（２ａ）で使用した抗体とからなる複合体を検出する工程である。
【００５３】
検出は、複合体に含まれるｓＡＰＰ７７０β又は工程（２ａ）で使用した抗体を検出することによりなされる。このような検出は、複合体のまま、又は複合体を解離させ可溶型アミロイドβ前駆体タンパク質７７０βが遊離した状態で、行なうことができる。
【００５４】
上記検出は、酵素免疫測定法（ＥＩＡ法）、蛍光免疫測定法（ＦＩＡ）、イムノクロマトグラフィー法、ウェスタンブロット法、ラジオイムノアッセイなどにより行うことができ、これらの分析方法は当業者に周知である。
【００５５】
工程（２ｂ）の検出方法として、ＥＩＡ法を選択した場合、本発明の検出方法を、ＡＰＰ７７０特異的抗体と可溶型アミロイドβ前駆体タンパク質７７０β（ｓＡＰＰ７７０β）を認識する抗体とを用いたサンドイッチＥＬＩＳＡ法により実施することが好ましい。このようなサンドイッチＥＬＩＳＡ法は抗原に対する特異性が高いため、本発明の実施に適している。
【００５６】
サンドイッチＥＬＩＳＡ法は、例えば次のように行なう。まず、工程（１）の抗体をＥＬＩＳＡ用プレートのウェル表面に固相化する。次いでウェル表面への非特異的な吸着を防ぐためにブロッキングを行なった後、試料を添加し、試料中のｓＡＰＰ７７０βを該抗体と接触させて複合体を形成させる。該抗体と結合しなかったタンパク質を洗浄により除去した後、標識した工程（２ａ）の抗体をウェルに加え、ｓＡＰＰ７７０βに接触させて複合体を形成させ、該標識により検出・定量を行なう。
【００５７】
サンドイッチＥＬＩＳＡ法には酵素標識抗体を使用することができる。標識に利用される酵素としては、ペルオキシダーゼ、アルカリホスファターゼ、グルコースオキシダーゼ、β−ガラクトシダーゼなどが例示される。酵素の検出に用いられる基質剤としては、選択した標識酵素に応じて適当なものが選ばれる。例えば、酵素としてペルオキシダーゼを選択した場合には、ｏ−フェニレンジアミン（ＯＰＤ）、テトラメチルベンジジン（ＴＭＢ）などが使用され、アルカリホスファターゼを選択した場合においては、ｐ−ニトロフェニルホスフェート（ＰＮＰＰ）などが使用される。また、反応停止液、基質溶解液についても、選択した酵素に応じて、従来公知のものを特に制限なく適宜使用することができる。
【００５８】
サンドイッチＥＬＩＳＡ法の一種としてアビジン−ビオチン反応を利用した方法が適用可能である。この方法では、例えば試料中のｓＡＰＰ７７０βを、固相化した工程（１）で用いる抗体でもって捕捉し、捕捉されたｓＡＰＰ７７０βとビオチンで標識した工程（２ａ）で用いる抗体との間で抗原抗体反応を行なわせる。次に酵素標識ストレプトアビジンを加えて、アビジン−ビオチン反応を行わせる。次いでこの酵素を検出することで、ｓＡＰＰ７７０βを検出する。
【００５９】
上記のビオチンで標識した工程（２ａ）で用いる抗体は、ビオチンと、工程（２ａ）で用いる抗体とを自体公知の方法により結合させることにより製造することができる。このような標識は、例えば、市販のビオチン標識化キットを使用して行なうことができる。酵素標識ストレプトアビジンは、市販のものを使用することもできる。
【００６０】
上記の方法の他に、二次抗体を利用した方法も適用可能である。この方法では、工程（１）で用いる抗体と工程（２ａ）で用いる抗体についてそれぞれ異なる動物種由来の抗体を用い、工程（２ａ）で用いる抗体のＩｇドメインを認識する二次抗体と、工程（２ａ）で用いる抗体との間で複合体を形成させる。二次抗体は酵素標識したものを用い、この酵素を検出することで、複合体中のｓＡＰＰ７７０βの存在が判別される。酵素標識二次抗体は、市販のものを使用することができる。このような二次抗体を用いる方法は、本発明の検出方法の感度を増強し得る。
【００６１】
工程（２ｂ）の検出方法として、ＦＩＡ法を選択した場合、上記ＥＩＡ法において標識として用いた酵素を蛍光物質と置換することで、上記のサンドイッチＥＬＩＳＡ法と同様の方法により、ｓＡＰＰ７７０βの検出を行なうことができる。
蛍光物質としては、ＡＰＣ、ＰＥ、Ｃｙ２、Ｃｙ３、Ｃｙ５、ＥＣＤ、ＦＩＴＣ、ＰｅｒＣＰ、Ａｌｅｘａ（登録商標）Ｆｌｕｏｒ、フルオレセイン、ローダミンなどの化学物質を好ましく利用することができる。これらの化学物質による標識は、自体公知の方法で行なうことができる。
蛍光は、市販の測定機器、蛍光顕微鏡などを用いて検出することができる。
【００６２】
工程（２ｂ）の検出方法として、イムノクロマトグラフィー法を選択した場合、例えば、ニトロセルロースメンブレンなどの吸水性基材にライン状に固相化された工程（２ａ）の抗体、メンブレン上に展開させた生体試料、及び標識した工程（１）の抗体の三者間で複合体を形成させる。標識した工程（１）の抗体は、生体試料とあらかじめ混合してもよく、あるいは生体試料が工程（２ａ）で用いる抗体に接触する前に、生体試料と接触するよう、吸水性基材上に供給しておいてもよい。複合体の形成は、標識に応じた手法により検出することができる。例えば、標識として金コロイド粒子を用いる場合、標識した抗体が集積した領域は赤色を呈するため、これにより検出する。
【００６３】
工程（２ｂ）の検出方法として、ウェスタンブロット法を選択することもできる。ウェスタンブロット法（イムノブロット法とも呼ばれる）は、試料中の特定のタンパク質を検出する方法である。変性条件下においてタンパク質をポリペプチドの長さによって、又は非変性条件下においてタンパク質の三次元構造によって分離するために、ゲル電気泳動を行なう。次いでタンパク質をメンブレン（典型的にはニトロセルロース又はＰＶＤＦ）に移し、固定した後、標的タンパク質を、特異的抗体を使用して検出する。
【００６４】
さらには、神経細胞でのＡβ産生と対比して血管内皮細胞でのＡβ産生につき判別する目的も含めた場合、工程（４ａ）及び（４ｂ）ではｓＡＰＰ６９５βの検出を工程（２ａ）及び（２ｂ）におけるｓＡＰＰ７７０βの検出と同様に行なうことができる。更なる対照としてｓＡＰＰ７５１βの検出を加える場合も工程（２ａ）及び（２ｂ）におけるｓＡＰＰ７７０βの検出と同様に行なうことができる。
【００６５】
本発明における検出工程は、ｓＡＰＰ７７０βを定量的に検出する工程であることが好ましい。定量は、用いた標識に基づき検出した生体試料についてのシグナルを、ｓＡＰＰ７７０βの標準試料を使用して作成した検量線を利用して数値化することなど、自体公知の方法により行なうことができる。ｓＡＰＰ７７０βの標準試料は、生体試料から調製したｓＡＰＰ７７０βでもよく、またｓＡＰＰ７７０βをコードする遺伝子情報に基づき自体公知の遺伝子工学的技術により調製することもできる。
神経細胞でのＡβ産生と対比して血管内皮細胞でのＡβ産生につき判別する目的の為に、検出対象としてｓＡＰＰ６９５βの検出を加えた場合は、上述の工程（２ａ）及び（２ｂ）でのｓＡＰＰ７７０βの扱いと同様にｓＡＰＰ６９５βを扱うことができる。更にはｓＡＰＰ７５１βを検出する場合も同様である。
【００６６】
本発明の方法より得られた結果を利用して、Ａβの蓄積を伴う疾患に罹患しているか、及び該疾患を発症する可能性があるかについて診断することができる。このような診断は、被験者由来の生体試料中のｓＡＰＰ７７０βのレベルを、健康な又は若年対象からの対照試料中のｓＡＰＰ７７０βの濃度範囲（統計学的研究により調べることができる）と比較することにより行なうことができる。また同一の被験者について、以前に測定したレベルと比較することによっても診断を行なうことができる。
【００６７】
基準となるｓＡＰＰ７７０βレベルは、目的に応じて設定される適切な基準である。ｓＡＰＰ７７０βは、健常人であっても老化に伴って量的な増加が認められ得る。そこで、疾患対照群と年齢層の一致した健常人の「平均値＋２標準偏差」をｃｕｔ ｏｆｆ値と設定し、ｃｕｔ ｏｆｆ値を上回る場合、「アミロイドβペプチドの蓄積を伴う疾患」である可能性が高い、と診断される。
【００６８】
また本発明の方法を用いて、Ａβの蓄積を伴う疾患を治療中の患者について、治療の効果を評価することもできる。このような患者から、治療前、治療中及び／又は治療後に生体試料を採取し、ｓＡＰＰ７７０βの濃度の変化を調べることで治療の効果を知ることができる。例えば、後の生体試料中のｓＡＰＰ７７０βの濃度が先の生体試料中のものよりも低ければ、その治療を有効であると評価することができる。また、認知症治療薬の中には、ＣＡＡを引き起こす可能性のある例も知られており、本発明の方法を用いて、治療薬投与患者においてＣＡＡの危険予知診断を行うことも可能である。
【００６９】
さらには、本発明によれば神経細胞でのＡβ産生と対比して血管内皮細胞でのＡβ産生につき判別することができ、この場合、血管内皮細胞でのＡβ産生は生体試料中のｓＡＰＰ７７０βレベルを指標とし、神経細胞でのＡβ産生は生体試料中のｓＡＰＰ６９５βレベルを指標として判別することができる。
血管内皮細胞でのＡβ産生の指標となるｓＡＰＰ７７０βレベルは、Ａβ蓄積を伴う疾患、好適には脳血管アミロイドアンギオパチー、脳血管性痴呆症、脳梗塞若しくはアルツハイマー病、より好ましくは脳血管内でのＡβ蓄積を病因とする脳血管アミロイドアンギオパチー、脳血管性痴呆症、脳梗塞に罹患しているか又は該疾患を発症する蓋然性が高いとする判定に利用される。神経細胞でのＡβ産生の指標となるｓＡＰＰ６９５βレベルは、脳実質部分でのＡβ蓄積を伴う疾患、好適にはアルツハイマー病に罹患しているか又は該疾患を発症する蓋然性が高いとする判定に利用される。
【００７０】
これらの判定を併せた診断では、脳血管アミロイドアンギオパチー、脳血管性痴呆症若しくは脳梗塞とアルツハイマー病を対象疾患、又はこれら疾患の併発を対象として、これら疾患を単独に対象として判定若しくはこれら疾患の併発状態を対象として判定することができ、又はその可能性を判定することができる。また、前記ｓＡＰＰ７７０βレベルによる判定の対象疾患とｓＡＰＰ６９５βレベルによる判定の対象疾患がともにアルツハイマー病であった場合には、当該診断はアルツハイマー病の発症状態をより詳細に判定することができる。
【００７１】
更に本発明は、公知のアルツハイマー病の診断と併用することができ、本発明以外のアルツハイマー病診断としては、NINCDS-ADRDA、DSM-IVを診断基準として用いた臨床診断、体液中のアミロイドβペプチド４２の低下を指標とした診断方法、体液中のタウ若しくはリン酸化タウの増加を指標とした診断方法、体液中のＢＡＣＥ１活性による糖鎖代謝物の増減を指標とした診断方法、アミロイドイメージングによるＡβ凝集を指標とした画像診断、脳の部分的な委縮を指標とした画像診断などが挙げられるが、これらに限定されない。
【００７２】
また、上記アルツハイマー病診断と併せた場合、本発明はアミロイドβペプチドに対する抗体を用いたアルツハイマー病の免疫治療において報告された、ある種の抗体で脳血管アミロイドアンギオパチーに伴って微小出血を増大させる副作用につき、その危険性を予測することも可能とする（Hartman, R.E., et al., J. Neurosci., 25, 6213-6220 (2005)、Racke, M.M., et al., J. Neurosci., 25, 629-636 (2005).）。
【００７３】
血管内皮細胞でのＡβ蓄積が脳実質部分側に移行してアルツハイマー病の症状に影響している可能性より、本発明によるｓＡＰＰ７７０βの検出はアルツハイマー病の病態に関する診断マーカーとして用いることができる。このことは、塞栓が脳微小血管の再開通において血管外に漏出される知見に基づく（Nature. 2010 May 27;465(7297):478-82.）。即ちこの知見から、Ａβ蓄積は塞栓としても存在するので、脳微小血管の再開通においてＡβが血管外に漏出され、当該Ａβが結果として脳実質部分でのＡβ蓄積となってアルツハイマー病の病態に影響する可能性を示す。
従って、本発明でのｓＡＰＰ７７０βの検出は、脳微小血管から移行したＡβの蓄積する可能性、或いは脳血管アミロイドアンギオパチーとの相関よりアルツハイマー病の診断を可能にするものである。ｓＡＰＰ６９５βの検出によるアルツハイマー病の診断は神経細胞から産生された脳実質部分でのＡβ蓄積に着目しているので、ｓＡＰＰ７７０βの検出によるアルツハイマー病の診断は、ｓＡＰＰ６９５βの検出による診断とは異なる原理によってアルツハイマー病の診断を可能とする。これは、ｓＡＰＰ７７０βの検出とｓＡＰＰ６９５βの検出を併せたアルツハイマー病の診断は、それぞれを単独で行うよりも詳細にアルツハイマー病の病状を診断できることも意味する。
【００７４】
一態様において、本発明の可溶型アミロイドβ前駆体タンパク質７７０βの検出方法は、工程（１）及び（２）に代えて、下記の工程：
（１’）アミロイドβペプチドの蓄積を伴う疾患が疑われる被験者由来の生体試料と、アミロイドβ前駆体タンパク質７７０特異的抗体又は可溶型アミロイドβ前駆体タンパク質βを認識する抗体を接触させる工程；及び
（２’）工程（１’）で形成された複合体中の可溶型アミロイドβ前駆体タンパク質７７０を検出する（好ましくは定量的に検出する）工程
を含む、検出方法であり得る（以下、検出方法ＩＩとも言う）。
【００７５】
工程（１’）は、検出方法Ｉの工程（１）と同様である。
【００７６】
工程（２’）において、可溶型アミロイドβ前駆体タンパク質７７０とは、少なくともｓＡＰＰ７７０βを含む、アミロイドβ前駆体タンパク質７７０切断産物（ＡＰＰ７７０のＮ末端側断片）を意味する。即ち、工程（２’）においては、ｓＡＰＰ７７０βと共に、他のアミロイドβ前駆体タンパク質７７０切断産物（ＡＰＰ７７０のＮ末端側断片）（例、ｓＡＰＰ７７０α）も検出される。被験者においてβ切断活性が健常者よりも高い場合、工程（２’）において可溶型アミロイドβ前駆体タンパク質７７０を検出（好ましくは定量的に検出）することによって、実質的に被験者の疾患の診断、又はその危険性を予測することが可能である。
【００７７】
その他の点については、検出方法Ｉについての記載を検出方法ＩＩに適用することができる。
【００７８】
２．アミロイドβペプチドの蓄積を伴う疾患の診断薬
本発明は、アミロイドβ前駆体タンパク質７７０特異的抗体及び／又は可溶型アミロイドβ前駆体タンパク質βを認識する抗体を有効成分とする、アミロイドβペプチドの蓄積を伴う疾患の診断薬を提供する。本発明の診断薬の有効成分である抗体は、「１．可溶型アミロイドβ前駆体タンパク質７７０βの検出方法」に記載の可溶型アミロイドβ前駆体タンパク質βを認識する抗体及び／又はアミロイドβ前駆体タンパク質７７０特異的抗体である。
【００７９】
本発明の診断薬は、上記抗体のみからなるものであってもよいし、医薬的に許容される担体を含んでいてもよい。医薬的に許容される担体としては、本発明の診断薬を液剤として調製する場合、製剤素材として慣用されている各種担体、例えば希釈剤、溶剤、溶解補助剤、懸濁化剤、等張化剤、緩衝剤などを含んでいてもよい。さらに抗体の凝集を防ぐために、Ｔｗｅｅｎ２０（登録商標）などの界面活性剤を添加するのが好ましい。これらの配合比は、当業者が適宜決定することができる。
【００８０】
本発明の診断薬を用いて、Ａβの蓄積を伴う疾患が疑われる被験者由来の生体試料について、前記の本発明の検出方法により内皮細胞由来のｓＡＰＰ７７０βを検出することで、Ａβの蓄積を伴う疾患に罹患しているか否かを診断することができる。本発明の診断薬の使用により、Ａβの蓄積を伴う疾患の診断が簡便且つ高精度となる。一態様において、本発明のＡβの蓄積を伴う疾患の診断薬は、脳血管アミロイドアンギオパチー、脳血管性痴呆症、脳梗塞又はアルツハイマー病の診断薬である。
【００８１】
３．アミロイドβペプチドの蓄積を伴う疾患の診断用キット
本発明は、アミロイドβ前駆体タンパク質７７０特異的抗体及び可溶型アミロイドβ前駆体タンパク質βを認識する抗体を有効成分とする、アミロイドβペプチドの蓄積を伴う疾患の診断用キットを提供する。本発明の診断用キットの有効成分である抗体は、「１．可溶型アミロイドβ前駆体タンパク質７７０βの検出方法」に記載の抗体である。
【００８２】
本発明の診断用キットには、上記抗体の他にｓＡＰＰ６９５β特異的抗体、ｓＡＰＰ７５１β特異的抗体などの抗体、又は試薬などが含まれていてもよく、これらの抗体又は試薬などは、あらかじめ上記抗体と一緒になっていてもよいし、別々の容器に格納されていてもよい。抗体又は試薬などとしては、「１．可溶型アミロイドβ前駆体タンパク質７７０βの検出方法」に記載したような二次抗体、基質剤、標識物質（例、蛍光色素、酵素）、固相、反応容器の他に、処理液や抗体を希釈するための緩衝液、陽性対照（例、組換えｓＡＰＰ７７０β）、陰性対照、プロトコールを記載した指示書などが挙げられる。これらの要素は、必要に応じてあらかじめ混合しておくこともできる。
【００８３】
本発明の診断用キットにおいては、抗体はあらかじめ固相化されていてもよく、該抗体はあらかじめ標識されていてもよい。本発明の診断用キットにおいて用いることができる固相としては特に限定されず、例えば、ポリスチレンなどのポリマー、ガラスビーズ、磁性粒子、マイクロプレート、イムノクロマトグラフィー用濾紙、ガラスフィルターなどの不溶性担体を挙げることができる。好ましくはサンドイッチＥＬＩＳＡ法に用いるマイクロプレートである。
【００８４】
本発明の診断用キットの形態も特に限定されないが、簡便に診断を行なうことを目的として、本発明の診断用キットの構成成分が一体となった一体型の診断用キットとすることができる。一体型の診断用キットの形態としては、例えば、イムノクロマトグラフィー法を用いるカセット型が挙げられる。
【００８５】
本発明の診断用キットの使用により、Ａβの蓄積を伴う疾患の診断が簡便且つ高精度となる。一態様において、本発明のＡβの蓄積を伴う疾患の診断用キットは、脳血管アミロイドアンギオパチー、脳血管性痴呆症、脳梗塞、又はアルツハイマー病の診断用キットとして用いられる。
【実施例】
【００８６】
以下に実施例を用いて本発明を詳述するが、本発明は以下の実施例に限定されるものではない。また、本発明において使用する試薬や装置、材料は特に言及されない限り、商業的に入手可能である。【００８７】
（材料）
本研究において使用した材料の供給源は次の通りである：組織培養培地及び試薬（ＤＭＥＭを含む）はInvitrogenから；組換えペプチドＮ−グリコシダーゼＦ（ＰＮＧａｓｅ）はNew England BioLabsから；Ｏ−グリコシダーゼはRocheから；Arthrobacter ureafaciensシアリダーゼはナカライテスクから；プロテインＡ−セファロースFast FlowはGE Healthcareから;タンパク質分子量スタンダードはBio-Radから；一連のレクチン結合アガロースは生化学工業株式会社から；Ａβ４０はPeptide Instituteから;ＢＣＡプロテインアッセイ試薬及びsulfo-NHS-LC-biotinはThermo Fisher Scientific Inc.から；他の全ての化学製品はSigma又はWako Chemicalsから。オリゴＤＮＡプライマーは、Invitrogenより入手した。使用したプライマーを表１に示す。内因性膜結合（インタクトな）ＡＰＰに対する抗ＡＰＰウサギポリクローナル抗体（Ｃ１５抗体）は、丸山敬先生（埼玉医科大学、埼玉、日本）から提供していただいた。使用した商業的に入手可能な抗体は次の通りである：マウスモノクローナル抗−ＡＰＰ  ２２Ｃ１１抗体（Chemicon）；抗ヒトｓＡＰＰα抗体（６Ｅ１０；Signet Laboratories）；抗ＧＡＰＤＨ抗体（Chemicon）；抗ＫＰＩ抗体（Chemicon）；抗ＯＸ２抗体（Chemicon）；抗ヒトｓＡＰＰβ抗体（IBL Co.）；ヤギポリクローナル抗ＰＥＣＡＭ抗体（Santa Cruz Biotechnology）。臨床研究は、理化学研究所及び福島県立医科大学の倫理委員会の承認を受けた。全ての動物実験は、理化学研究所の動物実験のためのガイドラインに従って実施した。【００８８】
【表１】
0005871279.tif 000002
【００８９】
（発現プラスミド及び細胞培養）
ヒトＡＰＰ７７０  ＦＬＡＧ−ｐＥＦは、ＰＣＲ（プライマー１及び２を使用）により増幅したヒトＡＰＰ７７０配列を（ベクターの）ＳａｌＩ及びＨｉｎｄＩＩＩ部位に挿入することにより構築し、ＦＬＡＧ領域断片は、プライマー３及び４をＨｉｎｄＩＩＩ及びＸｂａＩ部位にアニールさせることにより作製した。ViraPowerアデノウイルス発現系（Invitrogen）を製造者のプロトコールに従って使用し、ヒトＡＰＰ−ＦＬＡＧを保持する組換えアデノウイルスを作製した。一連のＡＰＰ７７０−ｐｃＤＮＡ３．１変異体は、QuickChange Site-Directed Mutagenesis Kit（Stratagene）を使用して作製した。ＡＰＰＯＸ２Ａｌｌ変異体（ＯＸ２領域において全ての可能性のあるＯ型糖鎖付加部位を欠失させた）を作製するために、まずＡＰＰＳ３４６，３４８Ａを構築し、その後、ＡＰＰＳ３４６，３４８Ａを鋳型として使用し、プライマーとしてＡＰＰＳＯＸ２Ａforward及びreverseを使用して、ＡＰＰＯＸ２Ａｌｌ変異体を作製した。ＡＰＰＡｌｌ変異体（ＡＰＰ７７０領域全体において全ての報告されているＯ型糖鎖付加部位（J Proteome Res 2009 8(2):631-642）を欠失させた）を作製するために、本発明者らは鋳型としてＡＰＰＯＸ２Ａｌｌ変異体を使用し、プライマーとしてＡＰＰＴ２９１，２９２Ａforward及びreverse並びにＡＰＰＴ６５１Ａforward及びreverseを使用して、Ｔｈｒ２９１、Ｔｈｒ２９２及びＴｈｒ６５１をＡｌａに置換した。ヒト脳血管内皮細胞（ＢＭＥＣ、Applied Cell Biology Research Institute）は、１０％  ＦＢＳを含む又は含まないＣＳ−Ｃ完全培地で培養し、継代４代以内に使用した。ＨＵＶＥＣ（ＴａＫａＲａ）は、２％  ＦＢＳ及びEGMＴＭ-2 SingleQuotsを含むＥＭＢ−２（ＴａＫａＲａ）で培養し、継代４代以内に使用した。初代肝臓類洞内皮細胞（ＬＳＥＣ）は、CD146 MicroBeads（Miltenyi Biotec）を製造者のプロトコールに従って使用してマウス肝臓から調製した。ＣＯＳ−７細胞は、１０％ＦＢＳを含むＤＭＥＭで培養した。【００９０】
（患者及び試料）
非ケトン性高浸透圧性昏睡により死亡した患者（６０歳）を本試験に採用した。ＣＳＦ試料は、ＡＤを有する患者から採取した。本試験は、福島県立医科大学の倫理委員会による承認を受けた（Ｎｏ．６１３）。【００９１】
（ＡＰＰ転写産物のＰＣＲ解析）
Sepasol試薬（ナカライテスク株式会社）を使用して、細胞から全ＲＮＡを単離し、５μｇの単離したＲＮＡを、Super Script III RT Kit（Invitrogen）を製造者のプロトコールに従って使用してランダムヘキサマーを用いて逆転写した。得られたｃＤＮＡ試料を、ＡＰＰ６９５、ＡＰＰ７５１及びＡＰＰ７７０についてはプライマーＡ及びＤ、ＡＰＰ７５１及びＡＰＰ７７０についてはプライマーＢ及びＤ、並びにＡＰＰ７７０についてはプライマーＣ及びＤを用いてＰＣＲ解析に供した。ＰＣＲは、２８サイクル実施した（９５℃で４０秒、５６℃で４０秒、７２℃で９０秒）。【００９２】
（免疫組織化学）
脳組織を、リン酸緩衝１５％ホルマリン溶液で固定し、パラフィルムに包埋した。１組の連続切片（厚さ５μｍ）について、一方をヘマトキシリン及びエオシンで染色した。他方を３７℃で一晩、抗ＯＸ２抗体（１：１００）でインキュベートした後、ビオチン化抗ウサギＩｇＧ（１：２００）でインキュベートした。結合した抗原を、アビジン・ビオチン−ペルオキシダーゼ複合体法（ＡＢＣキット；Vector Laboratories）を用いて可視化した。【００９３】
（ウェスタンブロッティング）
細胞ライセートを、プロテアーゼインヒビターカクテル（Roche）を含むＴ−ＰＥＲ緩衝液中で可溶化し、ＳＤＳ−ＰＡＧＥ（５〜２０％勾配ゲル）に供した後、ニトロセルロース膜に移した。次いで膜を、抗ＡＰＰ  ２２Ｃ１１（１：１，０００希釈）、抗ＡＰＰ  Ｃ１５（１：１，０００希釈）、抗ｓＡＰＰβ（１：５００希釈）、抗ｓＡＰＰα（１：１，０００希釈）、抗ＫＰＩ（１：２５０希釈）及び抗ＯＸ２抗体（１：２５０希釈）とインキュベートした。適切な、西洋ワサビペルオキシダーゼ−ロバ抗ヤギＩｇＧ（Jackson ImmunoResearch Laboratories）、抗マウス及び抗ウサギＩｇＧ（GE Healthcare）抗体を、二次抗体（１：１，０００希釈）として使用した。化学発光基質（Thermo Fisher Scientific Inc.）を、結合した抗体の検出に使用した。ローディングコントロールとして、同じ膜を使用して、抗ＧＡＰＤＨ抗体（１：２５０希釈；Chemicon）とインキュベートすることにより、ＧＡＰＤＨを検出した。検出されたシグナルを、Luminoimage Analyzer LAS-1000 PLUS（富士フイルム）を使用して定量した。ＢＭＥＣからの培地は、ＳＳＡ−又はＣｏｎＡ−アガロースと１６時間インキュベートした。ヒトＣＳＦ（０．２〜０．５ｍｌ）又は培養した細胞からの培地は、ヘパリン−セファロース（Thermo Fisher Scientific Inc.）とインキュベートした。沈殿は、ＳＤＳ−ＰＡＧＥの前に、ＰＢＳで３回洗浄した。【００９４】
（Ａβの定量）
ＢＭＥＣを、ＡＰＰ７７０−ＦＬＡＧ過剰発現用アデノウイルス調製物で感染させ、Opti-MEMで８時間培養した。培地中のＡβ４０及びＡβ４２のレベルは、ＢＭＥＣについてはHuman Amyloid β(1-40) or (1-42) Assay Kit （IBL Co.）を、マウスニューロンについてはHuman/Rat βAmyloid (40) or (42) ELISA Kit（Wako Chemicals）を使用して決定した。【００９５】
（グリコシダーゼによる消化）
細胞ライセート又は培地からヘパリンにより沈殿させた試料を、Arthrobacter ureafaciensシアリダーゼ（４μＵ）及び／又はＯ−グリカナーゼ（２ｍＵ）の存在下又は非存在下で１８時間インキュベートした。【００９６】
（細胞表面のビオチン化）
１０ｃｍ培養皿で増殖させたＢＭＥＣを、Sulfo-NHS-LC-Biotinで４℃にて３０分間標識した。０．１Ｍグリシンを含むＰＢＳ（ｐＨ８．０）で３回、ＰＢＳで１回、細胞を洗浄した後、細胞ライセートを調製した。更なる分析のために、ビオチン化した細胞表面タンパク質を、ストレプトアビジン−セファロース（GE Healthcare）でプルダウンした。【００９７】
（ベンジルＧａｌＮＡｃ処理）
１０ｃｍ組織培養皿で増殖させたサブコンフルエントなＢＭＥＣを、ベンジルＧａｌＮＡｃ（２ｍＭ）の存在下で１８時間インキュベートし、その後、更なる分析のために、細胞ライセート及び培地試料を調製した。【００９８】
実施例１
本実施例に、ＡＰＰの選択的スプライシングによる３種類のアイソフォームの細胞型特異的な発現を説明する。
ヒト脳は、３種類の選択的スプライスによるＡＰＰ  ｍＲＮＡアイソフォーム、ＡＰＰ６９５、ＡＰＰ７５１及びＡＰＰ７７０を発現する（Nature 1988 331(6156):525-527; Nature 1988 331(6156):528-530）（図１Ａ）が、ニューロンはＡＰＰ６９５に限って発現する（Proc Natl Acad Sci U S A 1993 90(20):9513-9517; Proc Natl Acad Sci U S A 1990 87(4):1561-1565; Proc Natl Acad Sci U S A 1989 86(16):6338-6342）。これらの情報から、脳において細胞型特異的なＡＰＰのスプライシング現象が起こることが示唆される。本実施例において、本発明者らは脳内皮細胞に着目し、確立した初代ヒト脳微小血管内皮細胞（ＢＭＥＣ）を使用し、脳内皮ＡＰＰを解析した。抗ＡＰＰ  Ｃ末端抗体（Ｃ１５）を使用したウェスタンブロット解析により、ＢＭＥＣが、初代ニューロンと比較して同等のレベルの、又はむしろ高いレベルのＡＰＰを発現することを示した（図１Ｂ）。内皮ＡＰＰは、ＳＤＳ−ＰＡＧＥ後のゲル移動度の異なる、２つの別々のバンドを示した。抗ＫＰＩ抗体及び抗ＯＸ２抗体も、２つの内皮型ＡＰＰを検出したことから、内皮細胞がＡＰＰ７７０を発現すると結論付けた。抗ＫＰＩ抗体も抗ＯＸ２抗体も、ニューロンのＡＰＰを検出しなかったことから、ニューロンはＡＰＰ６９５のみを発現するという以前の報告（Proc Natl Acad Sci U S A 1993 90(20):9513-9517; Proc Natl Acad Sci U S A 1990 87(4):1561-1565）が確認された。抗ＫＰＩ抗体又は抗ＯＸ２抗体でＢＭＥＣライセートを分析した場合には、２つのＡＰＰのバンドの間にさらに１つのバンドが見出された。このバンドは、ＡＰＰのＣ末端配列を欠く、ＡＰＰ又はｓＡＰＰのプロセスされた形態である可能性が高い。ヒト臍帯血由来血管内皮細胞（ＨＵＶＥＣ）も、発現レベルはＢＭＥＣにおけるものよりも顕著に低かったものの、２種類の型のＡＰＰを発現し、ＡＰＰ７７０が内皮細胞において広く発現していることが示された。
ＡＰＰ転写産物を分析するために、本発明者らは、内皮細胞及び初代ニューロンからＲＮＡを単離した。次いで、逆転写したｃＤＮＡ試料を、一連のオリゴヌクレオチドプライマーを使用するＰＣＲにより分析し、ＡＰＰ６９５、ＡＰＰ７５１及びＡＰＰ７７０を検出した。図１Ｃに示すように、ニューロンがＡＰＰ６９５を発現したのに対し、内皮細胞はＡＰＰ７７０を発現し、ＡＰＰ６９５を発現しなかった。これらの結果から、細胞型特異的ＡＰＰ発現が確認された。【００９９】
実施例２
本実施例に、ＡＰＰ７７０の糖鎖付加状態について説明する。
ＡＰＰは、２つのＮ結合型、及び複数のＯ結合型糖鎖を有する可能性がある（Biochim Biophys Acta 1999 1472(1-2):344-358; J Proteome Res 2009 8(2):631-642; J Biol Chem 1998 273(11):6277-6284）ことから、本発明者らは、高分子量ＡＰＰ７７０（ＡＰＰ−Ｈ）は高度に糖鎖付加されていると予想した。一連のレクチンプルダウンアッセイの結果（図２）に基づき、ＡＰＰ−Ｈ及び低分子量ＡＰＰ７７０（ＡＰＰ−Ｌ）を、それぞれSambucus sieboldiana凝集素（ＳＳＡ）−及びコンカナバリンＡ（ＣｏｎＡ）−アガロースにより分離し、ペプチドＮ−グリコシダーゼ（ＰＮＧａｓｅ）で消化し、Ｎ結合型糖鎖を除去した。図４Ａに示すように、ＰＮＧａｓｅ処理後、２つの形態のＡＰＰはいずれも、処理前よりもＳＤＳ−ＰＡＧＥゲル内でわずかに早く移動した。したがって、両形態がＮ結合型糖鎖を有すること、及び両形態の分子量の違いはＮ結合型糖鎖のみでは説明できないことが示された。
ＡＰＰ−Ｈは、Ｓｉａα２，６Ｇａｌ／ＧａｌＮＡｃを認識するＳＳＡレクチンに対して親和性を有することから、本発明者らは、ＡＰＰ−Ｈがシアル酸残基を有するＯ結合型糖鎖を含むと予想した。シアリダーゼ処理の後、ＡＰＰ−Ｈの移動度は顕著に変化し、ＡＰＰ−Ｌのものに近くなった（図４Ｂ）。シアリダーゼとＯ−グリコシダーゼでの処理の後、ＡＰＰ−Ｈの移動度はＡＰＰ−Ｌのものと完全に一致した。Ｏ−グリコシダーゼは置換されていないコア１型Ｏ結合型糖鎖のみを切断することから、本発明者らは、ＡＰＰ−Ｈがシアル酸化されたコア１型Ｏ結合型糖鎖を有すると結論付けた。ＣＯＳ細胞においてＡＰＰ６９５、ＡＰＰ７５１又はＡＰＰ７７０を過剰発現させた場合、ＡＰＰの２つの形態の間の移動度の差は、ＡＰＰ７７０の場合には常に明確に見られた（図３）。これらのデータは、ＯＸ２領域におけるＯ結合型糖鎖の存在を示唆する。
そこで本発明者らは、ＯＸ２領域内の各Ｓｅｒ／Ｔｈｒ残基を個別にＡｌａに置換した、一連のＡＰＰ７７０変異体を作製した（図４Ｃ）。次いで、野生型ＡＰＰ７７０及びその変異体を、ＣＯＳ細胞において過剰発現させた。Ｏ結合型糖鎖付加機構はＣＯＳ細胞においては十分には発達していないが、本発明者らは、低レベルのＡＰＰ−Ｈを検出した（図４Ｄ）。Ｓｅｒ３４６、Ｓｅｒ３４８及びＴｈｒ３５２における変異は、ＳＤＳ−ＰＡＧＥゲルにおけるＡＰＰ変異体の移動度には影響しなかったが、ＡＰＰＴ３５３Ａ変異体（Ｔｈｒ３５３をＡｌａに置換した）は、野生型ＡＰＰよりも速く移動した（図４Ｄ）。これらの結果は、Ｏ結合型糖鎖がＴｈｒ３５３に付加されていることを示唆する。
ＡＰＰＴ３５３Ａ及びＡＰＰＯＸ２ａｌｌ（ＯＸ２領域内の全てのＳｅｒ／Ｔｈｒ残基をＡｌａへと変異させた）の両方がなおも２つの別々のバンドを示したという知見は、ＡＰＰ７７０のＯＸ２領域以外の領域にＯ結合型糖鎖付加部位がさらに存在することを示唆する。Ｐｅｒｄｉｖａｒａら（J Proteome Res 2009 8(2):631-642）は最近、ＡＰＰ６９５が、Ｔｈｒ２９１、Ｔｈｒ２９２及びＴｈｒ５７６においてＯ結合型糖鎖で修飾されることを示した。そこで本発明者らは次に、ＡＰＰ７７０変異体ＡＰＰａｌｌ（ＡＰＰＯＸ２ａｌｌからさらに、Ｔｈｒ２９１、Ｔｈｒ２９２、Ｔｈｒ６５１（ＡＰＰ６９５についてはＴｈｒ５７６）及びＴｈｒ６５２をＡｌａに置換した）を作製した。ＡＰＰａｌｌはほぼ単一のバンドを示し（図４Ｄ）、このことは本発明者らが、ＡＰＰａｌｌ変異体においてＡＰＰ７７０の全てのＯ結合型糖鎖付加部位を変異させたことを示す。【０１００】
実施例３
本実施例に、脳血管内皮細胞ＢＭＥＣから分泌されるｓＡＰＰの糖鎖付加状態について説明する。
本発明者らは、内皮細胞におけるＡＰＰ代謝産物を分析するために、抗ＡＰＰ  ２２Ｃ１１抗体（ＡＰＰのＮ末端領域を認識する）を用いて、ＢＭＥＣライセート及び培地試料のウェスタンブロット解析を行なった。図５Ａに示すように、培地において、細胞ライセートにおいて見られた２つのＡＰＰ（ＡＰＰ−Ｈ及びＡＰＰ−Ｌ）のバンドの間の移動度を有する単一のｓＡＰＰのバンドを検出した。このことはｓＡＰＰがＡＰＰ−Ｈのみに由来することを示唆する。実際、ｓＡＰＰは、シアリダーゼ及びＯ−グリコシダーゼ処理の両方に感受性であり（図５Ｂ）、このことはｓＡＰＰが、シアル酸化されたコア１型Ｏ結合型糖鎖鎖を含むことを示す。
本発明者らが、Ｏ結合型糖鎖を有さないｓＡＰＰを検出できなかったことは、注目すべき点である。α部位におけるＡＰＰの切断は細胞表面において起こるように見える一方、β部位における切断はエンドサイトーシス経路の間に起こる（J Cell Biol 2003 160(1):113-123）という一般的側面を考慮すると、Ｏ結合型糖鎖付加のないＡＰＰは細胞表面に移動できず、α−セクレターゼとβ−セクレターゼのいずれにも接触できないという可能性も考えられた。しかしながら、細胞表面ビオチン化実験により、ＡＰＰ−Ｈ及びＡＰＰ−Ｌの両方が細胞表面に到達することが示された（図５Ｃ）。さらに、ベンジルＧａｌＮＡｃ（Ｏ結合型糖鎖鎖伸長の阻害剤）は、培地へのｓＡＰＰの分泌を阻害しなかった（図５Ｄ）。これらのことは、ＡＰＰ７７０が分泌経路に入るためには、ＡＰＰ７７０に１つのＧａｌＮＡｃが付加されれば十分であることを示唆する。【０１０１】
実施例４
本実施例において、ＡＰＰ７７０がヒト脳血管において発現し、α及びβ部位において切断され、ＣＳＦへと分泌されることを説明する。
ＡＰＰ７７０のプロセシングについて、内皮のαセクレターゼ及びβセクレターゼの発現レベル及び活性に関しては限られた情報しか存在しないことから、本発明者らはＢＭＥＣから分泌される可溶性ｓＡＰＰ７７０を解析した。ｓＡＰＰα及びｓＡＰＰβに対する特異的抗体を使用したところ、ｓＡＰＰα及びｓＡＰＰβの両方が検出された（図６Ａ）。
内皮細胞にはアミロイド産生性のβセクレターゼ経路が存在することから、これらの細胞がγセクレターゼ活性も有し、Ａβペプチドを産生すると考えることができる。ＡＰＰ７７０を過剰発現するＢＭＥＣの培地において、Ａβ４０及びＡβ４２の両方が検出され、内皮のＡβ４２／Ａβ４０の比は、ニューロンにおけるものと同様であった（図６Ｂ）。
ＡＰＰ７７０が脳血管において実際に発現しているか否かを明らかにするために、本発明らはまず大脳皮質切片を抗ＯＸ２抗体を用いて分析し、ＡＰＰ７７０の局在を決定した。静脈及び細静脈の内皮細胞の内腔領域は抗ＯＸ２抗体で染色されたが、平滑筋細胞は染色されなかった（図６Ｃ）。くも膜の血管においては免疫組織化学的シグナルは観察されなかった。
次に、ＣＳＦがｓＡＰＰ７７０β（ＡＰＰ７７０のＮ末端側のβセクレターゼ切断産物）を含むか否か調べた。ヘパリン−アガロースを用いてｓＡＰＰをＣＳＦからプルダウンし、次いで抗ＡＰＰ２２Ｃ１１抗体、抗ＯＸ２抗体及び抗ｓＡＰＰβ抗体を用いて免疫染色を行なった。抗ＡＰＰ２２Ｃ１１抗体により２つのバンドが検出され、それらのうち上のバンドのみが抗ＯＸ２抗体により検出された（図６Ｄ）。このことは、上のバンドがＡＰＰ７７０由来であることを示す。上下のバンドが両方とも抗ｓＡＰＰβ抗体により検出されたことは、両形態ともにβセクレターゼ切断産物を含むことを示す。これらの結果は、対象から採取したＣＳＦが、生体内の内皮細胞によるｓＡＰＰ７７０βの産生の有無を調べるための試料として採用され得ることを示す。
【産業上の利用可能性】
【０１０２】
本発明により、内皮細胞由来の可溶型アミロイドβ前駆体タンパク質７７０βを検出することができる。得られるデータは、アルツハイマー病などのアミロイドβペプチドの蓄積を伴う疾患について診断するために利用することができる。また本発明の診断薬及び診断用キットを用いることにより、アミロイドβペプチドの蓄積を伴う疾患に罹患しているか否かを簡便且つ高精度に診断することができる。【０１０３】
本出願は日本で出願された特願２０１０−１７１１２２（出願日：２０１０年７月２９日）を基礎としており，その内容は本明細書に全て包含されるものである。
【図１】
0005871279.tif 000003
【図２】
0005871279.tif 000004
【図３】
0005871279.tif 000005
【図４】
0005871279.tif 000006
【図５】
0005871279.tif 000007
【図６】
0005871279.tif 000008
【配列表】
0005871279000001.app